(57)【要約】【課題】本体に対して開閉自在に設けられた開閉部を有する電気機器において、非常に簡単な構成により、開閉部に設けられた各種電子機器に対して電源供給や信号のやり取りを行うことができるとともに、開閉の際に配線が邪魔になることなくスムーズに開閉が行える電気機器を実現することを目的とする。【解決手段】開閉部２に本体１からの電力供給を受けて動作する動作部８，１０と、動作部への電力を供給するための２次コイル５とを有し、本体部に２次コイルへ電力を供給するための１次コイル３を有し、開閉部が閉状態時に１次コイルと２次コイルとが対向するように配設されるとともに、１次コイルに電流を供給することにより２次コイルに電力が非接触で伝達される。【選択図】　図１
2004064851.tif 000002
【特許請求の範囲】
【請求項１】
本体部と開閉部とからなり、前記本体部に対して前記開閉部が開閉自在に設けられた電気機器であって、前記開閉部には前記本体部からの電力供給を受けて動作する動作部と、前記動作部への電力を供給するための２次コイルとを有し、前記本体部には前記２次コイルへ電力を供給するための１次コイルを有し、前記開閉部が閉状態時に前記１次コイルと前記２次コイルとが対向するように配設されるとともに、前記１次コイルに電流を供給することにより前記２次コイルに電力が非接触で伝達されることを特徴とする開閉部を有する電気機器。
【請求項２】
本体部に発光部を有するとともに、開閉部に受光部を有し、前記開閉部が閉状態時に前記発光部と前記受光部とが対向するように配設されるとともに、動作部を制御するための信号が非接触で前記本体部側から前記開閉部側に伝達されることを特徴とする請求項１記載の開閉部を有する電気機器。
【請求項３】
開閉部に操作部および発光部を有するとともに、本体部に受光部を有し、前記開閉部が閉状態時に前記発光部と前記受光部とが対向するように配設されるとともに、前記操作部を操作することにより生成される信号が非接触で前記開閉部側から前記本体部側に伝達されることを特徴とする請求項１記載の開閉部を有する電気機器。
【請求項４】
操作部を動作させるための電力を、動作部に供給される電力と同じ２次コイルから供給されることを特徴とする請求項３記載の開閉部を有する電気機器。
【請求項５】
別途１次コイルおよび２次コイルをそれぞれ本体部および開閉部に設けるとともに、前記開閉部が閉状態時にその１次コイルと２次コイルが対向するように配設され、操作部を動作させるための電力がこの別途設けられた１次コイルに電流を流すことによりこの２次コイルに非接触で伝達されることを特徴とする請求項３記載の開閉部を有する電気機器。
【請求項６】
動作部が発光体、発音体、回転体、移動体、表示体の少なくともいずれか１つからなることを特徴とする請求項１記載の開閉部を有する電気機器。
【請求項７】
１次コイルと２次コイルの対向面の大きさを、１次コイル側よりも２次コイル側を小さくしたことを特徴とする請求項１記載の開閉部を有する電気機器。
【請求項８】
発光部と１次コイルまたは２次コイル、あるいは受光部と２次コイルまたは１次コイルを同一の基板上に形成して一体構成にしたことを特徴とする請求項２または３記載の開閉部を有する電気機器。
【請求項９】
発光部と受光部とを同一基板上に形成して一体構成にしたことを特徴とする請求項２または３記載の開閉部を有する電気機器。
【請求項１０】
開閉部と本体部との間を結ぶ直接的な電気配線がないことを特徴とする請求項１記載の開閉部を有する電気機器。
【発明の詳細な説明】
【０００１】
【発明の属する技術分野】
本発明は、コンタクトレスの電源供給に関する技術の応用技術に関し、自動販売機や自動券売機、あるいはパチンコの遊技機等の本体に対して開閉自在に設けられた開閉部を有する電気機器に上記技術を応用展開した技術に関するものである。
【０００２】
【従来の技術】
従来、この種の自動販売機や自動券売機、あるいはパチンコの遊技機等のような本体に対して開閉自在に設けられた開閉部を有する電気機器は、開閉部側に利便性や宣伝効果等をねらって、各種の電子機器、例えば照明装置やスピーカ等が設置されており、これらの開閉部側に設けられた電子機器への電源供給や信号のやり取りは、本体側から電源ラインや信号ラインを介して行われるものであった。
【０００３】
【発明が解決しようとする課題】
しかしながら、これらの電源ラインや信号ラインは、本体側と開閉部側とが開閉部を開閉自在に保持している蝶番の部分を介して直接繋げられた構成であり、開閉部側の電子機器が増えると、その分電源ラインや信号ラインを増やす必要があり、これらの配線が非常に多く長く複雑になり、スペース的にも無視できなくなるとともに、開閉の際に邪魔になったり、あるいは開閉がスムーズに行えないという課題を有していた。
【０００４】
本発明は、上記従来の課題を解決するものであり、本体に対して開閉自在に設けられた開閉部を有する電気機器において、非常に簡単な構成により、開閉部に設けられた各種電子機器に対して電源供給や信号のやり取りを行うことができるとともに、開閉の際に配線が邪魔になることなくスムーズに開閉が行える電気機器を実現することを目的とする。
【０００５】
【課題を解決するための手段】
上記目的を達成するために本発明の開閉部を有する電気機器は、開閉部に本体部からの電力供給を受けて動作する動作部と、前記動作部への電力を供給するための２次コイルとを有し、前記本体部に前記２次コイルへ電力を供給するための１次コイルを有し、前記開閉部が閉状態時に前記１次コイルと前記２次コイルとが対向するように配設されるとともに、前記１次コイルに電流を供給することにより前記２次コイルに電力が非接触で伝達されることを特徴とするものである。
【０００６】
この構成により、開閉部が閉状態時に１次コイルと２次コイルとの間で電磁誘導により電力が伝達されるため、本体側から開閉部側への電力供給を配線レスの非接触で行うことができるとともに、開閉部の開閉の際に配線を気にすることなくスムーズに開閉することができるものである。
【０００７】
また、本発明は、本体部に発光部を有するとともに、開閉部に受光部を有し、前記開閉部が閉状態時に前記発光部と前記受光部とが対向するように配設されるとともに、動作部を制御するための信号が非接触で前記本体部側から前記開閉部側に伝達されることを特徴とするものであり、この構成により、電源供給だけでなく信号の送信も配線レスの非接触で行うことができるとともに、開閉部の開閉の際に信号ラインの配線も気にすることなくスムーズに開閉することができるものである。
【０００８】
また、本発明は、開閉部に操作部および発光部を有するとともに、本体部に受光部を有し、前記開閉部が閉状態時に前記発光部と前記受光部とが対向するように配設されるとともに、前記操作部を操作することにより生成される信号が非接触で前記開閉部側から前記本体部側に伝達されることを特徴とするものであり、この構成により、電源供給だけでなく開閉部側からの信号の送信も配線レスの非接触で行うことができるとともに、開閉部の開閉の際に信号ラインの配線も気にすることなくスムーズに開閉することができるものである。
【０００９】
また、本発明は、操作部を動作させるための電力を、動作部に供給される電力と同じ２次コイルから供給されることを特徴とするものであり、この構成により、操作部と動作部の電源供給を共用することができ、スペースをより有効的に活用することができるものである。
【００１０】
また、本発明は、別途１次コイルおよび２次コイルをそれぞれ本体部および開閉部に設けるとともに、前記開閉部が閉状態時にその１次コイルと２次コイルが対向するように配設され、操作部を動作させるための電力がこの別途設けられた１次コイルに電流を流すことによりこの２次コイルに非接触で伝達されることを特徴とするものであり、この構成により、操作部と動作部の電力供給を個別に独立して行うことができるため、異なる電力を供給したい場合や、操作部と動作部の配置が離れている際に配線を引き回すことなく供給したい場合等に有効的なものである。
【００１１】
また、本発明は、動作部が発光体、発音体、回転体、移動体、表示体の少なくともいずれか１つからなることを特徴とするものであり、この構成により、開閉部側に利便性や宣伝効果等をねらって各種の電気的な仕掛けを設けても、その電力供給を配線レスの非接触で行うことができるとともに、開閉部の開閉の際に電源ラインの配線も気にすることなくスムーズに開閉することができるものである。
【００１２】
また、本発明は、１次コイルと２次コイルの対向面の大きさを、１次コイル側を２次コイル側よりも大きくしたことを特徴とするものであり、この構成により、開閉部の取り付け位置精度や開閉に伴う位置づれ等の影響をより受けにくくすることができ、１次コイルと２次コイルとの間で行われる電磁誘導による電力伝達をより確実に行わせることができるとともに、開閉部側の重量をより軽減することができ、開閉のしやすさや開閉部の耐久性をより高めることができる。
【００１３】
また、本発明は、発光部と１次コイルまたは２次コイル、あるいは受光部と２次コイルまたは１次コイルを同一の基板上に形成して一体構成にしたことを特徴とするものであり、この構成により、本体側および開閉部側のスペースをより有効的に活用することができるとともに、その取り付けや対向配置をより簡単に確実に行うことができるものである。
【００１４】
また、本発明は、発光部と受光部とを同一基板上に形成して一体構成にしたことを特徴とするものであり、この構成により、本体側および開閉部側のスペースをより有効的に活用することができるとともに、その取り付けや対向配置をより簡単に確実に行うことができるものである。
【００１５】
また、本発明は、開閉部と本体部との間を結ぶ直接的な電気配線がないことを特徴とするものであり、この構成により、開閉部と本体部との配線レイアウトを考慮する必要がなくなり設計の自由度が増すとともに、開閉の際に配線が邪魔になることなくスムーズに開閉を行うことができ、さらに、組み立ての際もケーブルやコネクタ等の接続作業をなくすことができるものである。
【００１６】
【発明の実施の形態】
以下、本発明の一実施の形態について、図面を参照しながら説明する。本実施の形態では、その特徴をわかりやすく説明するために、特に遊技機の一つであるパチンコ台を例にして、より具体的な説明を行う。
【００１７】
図１は、本実施の形態の構成を示す斜視図であり、図において、１はパチンコ台の本体であり、この本体１に対して開閉自在に第１の開閉部２ａおよび第２の開閉部２ｂが設けられている。また本体１の空きスペースには、第１の１次コイル３ａが設けられており、閉状態時に第１の開閉部２ａの空きスペースに設けられた第１の２次コイル５ａと非接触状態（１．０〜４．０ｍｍのクリアランス）で対向するように設けられている。これにより、第１の開閉部２ａが閉状態時に本体１側の電源１０を入れると、第１の１次コイル３ａと第１の２次コイル５ａとの間で電磁誘導が生じて、電力を第１の１次コイル３ａ側から第１の２次コイル５ａ側に非接触状態で供給することができる。
【００１８】
また、本体１には、第１の本体側発光部４ａおよび本体側受光部４ｃが設けられており、閉状態時に第１の開閉部２ａに設けられた第１の開閉部側受光部６ａおよび開閉部側発光部６ｃと非接触状態で対向するように設けられており、これにより、これらを介して情報の送受信（双方向）を本体１側と第１の開閉部２ａとの間で非接触状態（光通信）で行うことができる。
【００１９】
具体的には、第１の開閉部２ａには、液晶やＬＥＤ等からなり、操作者に向けての文字情報等を表示するための表示部８や、ボタンスイッチやレバースイッチ等からなり、操作者の要望を選択や指示するための第１の操作部９ａ、第２の操作部９ｂが設けられており、これらにより、本体１側からの信号は第１の本体側発光部４ａを介して第１の開閉部側受光部６ａに伝えられ、第１の開閉部２ａ側の制御部（図示せず）を介して表示部８に伝えられるとともに、第１および第２の操作部９ａ，９ｂで選択や指示した内容は信号となってその一部は表示部８に伝えられ、その一部は開閉部側発光部６ｃを介して本体側受光部４ｃに伝えられ、本体１側の制御部（図示せず）を介して本体１側の各種装置が動作されるように構成されている。
【００２０】
なお、第１の開閉部２ａに設けられた第１の開閉部側受光部６ａ、開閉部側発光部６ｃ、表示部８および制御部（図示せず）は、第１の２次コイル５ａ側に供給された電力を用いて動作するように構成されている。
【００２１】
次に、本体１には、空きスペースを利用して第２の１次コイル３ｂが設けられており、閉状態時に第２の開閉部２ｂの空きスペースに設けられた第２の２次コイル５ｂと非接触状態（１．０〜４．０ｍｍのクリアランス）で対向するように設けられている。これにより、第２の開閉部２ｂが閉状態時に本体１側の電源１０を入れると、第２の１次コイル３ｂと第２の２次コイル５ｂとの間で電磁誘導が生じて、電力を第２の１次コイル３ｂ側から第２の２次コイル５ｂ側に非接触状態で供給することができる。
【００２２】
また、本体１には、第２の本体側発光部４ｂが設けられており、閉状態時に第２の開閉部に設けられた第２の開閉部側受光部６ｂと非接触状態で対向するように設けられており、これにより、これらを介して本体１側から第２の開閉部２ｂへの情報の送信（単方向）を非接触状態（光通信）で行うことができる。
【００２３】
具体的には、第２の開閉部２ｂには、操作者に向けての音や光によるメッセージや各種効果を狙ってスピーカ１１や発光体１２が設けられており、これにより、本体１側からの信号は第２の本体側発光部４ｂを介して第２の開閉部側受光部６ｂに伝えられ、第２の開閉部２ｂ側の制御部（図示せず）を介してスピーカ１１や発光体１２に伝えられるように構成されている。
【００２４】
なお、第２の開閉部２ｂに設けられた第２の開閉部側受光部６ｂ、スピーカ１１、発光体１２および制御部（図示せず）は、第２の２次コイル５ｂ側に供給された電力を用いて動作するように構成されている。
【００２５】
以上のように、本実施の形態の構成によれば、本体１側から開閉部２側への電力供給を配線レスの非接触で行うことができるとともに、本体１側と開閉部２側との信号の単方向および／または双方向のやり取りも配線レスの非接触で行うことができるため、電源ラインや信号ラインの配線を従来のような直接接続に比べほとんど気にすることなく非常にシンプルにすることができるとともに、開閉の際にも配線が邪魔になることがないものである。
【００２６】
なお、本実施の形態において、１次コイル３と２次コイル５の具体的な構成として、お互いが対向した際に、１次コイル３側の面を２次コイル５側の面よりも大きく構成しており、これにより、１次コイル３および２次コイル５の本体１および／または開閉部２への取り付け精度が多少悪くても、また開閉部２の本体１への取り付け精度が多少悪くても、さらに開閉を繰り返すことにより１次コイル３および２次コイル５の取り付けや開閉部の取り付けが多少位置づれを起こしたとしても、これらを吸収して１次コイル３と２次コイル５との間で行われる電磁誘導による電力供給を確実に行わせることができるものである。
【００２７】
また、本体１側に比べスペースの余裕の少ない開閉部２側に取り付けられる２次コイル５を小さく構成しているので、スペース的にもまた重量的にも都合が良く、レイアウトのしやすさや開閉のしやすさをより高めることもできるものである。
【００２８】
また、本実施の形態では、２次コイル側から電力供給されて動作するものとして表示部８やスピーカ１１や発光体１２を例に挙げているが、これに限定されるものではなく、電力供給を受けて回転する回転体や移動する移動体等、電力供給を受けて動作するものであれば適用可能な技術であり、いろいろな組み合わせが考えられるとともに、いずれの場合においても同様の効果が得られるものである。
【００２９】
また、本実施の形態において、本体１側の発光部４ａ、受光部４ｃおよび１次コイル３ａと、これと対向して設けられた開閉部２側の受光部６ａ、発光部６ｃおよび２次コイル５ａとが、また、本体１側の発光部４ｂおよび１次コイル３ｂと、これと対向して設けられた開閉部２側の受光部６ｂおよび２次コイル５ｂとが、それぞれ同一基板上に一体構成されており、これにより、本体１側および開閉部２側の空きスペースを有効活用することができるとともに、個々の取り付けや対向配置させるための調整が、１つずつ別々に行うよりも簡単でしかも確実に行うことができるものである。
【００３０】
なお、図示はしていないが、１次コイルや２次コイルとは分離して、発光部と受光部だけを同一基板上に一体構成することにより、より空きスペースの有効活用を図ることができるとともに、取り付け対向配置の調整も個々で行うものに比べて簡単に確実に行うことができるものである。
【００３１】
また、本実施の形態では、パチンコ台を例にしてその説明を行っているが、このようなパチンコ台やスロットマシン等の遊技機に限定されるものではなく、自動販売機や自動券売機等、ドア側に本体側からの電力供給を受けて動作する動作体を有するものであれば適用あるいは応用することができるものであり、特に開閉が頻繁に行われる開閉部を有する電気機器について有効な技術である。
【００３２】
【発明の効果】
以上の説明から明らかなように、本発明によれば、開閉部が閉状態時に１次コイルと２次コイルとの間で電磁誘導により電力が伝達されるため、本体側から開閉部側への電力供給を配線レスの非接触で行うことができるとともに、開閉部の開閉の際に配線を気にすることなくスムーズに開閉することができる。
【図面の簡単な説明】
【図１】本発明の一実施の形態における開閉部を有する電気機器の構成を示す斜視図
【符号の説明】
１　本体
２　開閉部
２ａ　第１の開閉部
２ｂ　第２の開閉部
３　１次コイル
３ａ　第１の１次コイル
３ｂ　第２の１次コイル
４ａ　第１の本体側発光部
４ｂ　第２の本体側発光部
４ｃ　本体側受光部
５　２次コイル
５ａ　第１の２次コイル
５ｂ　第２の２次コイル
６ａ　第１の開閉部側受光部
６ｂ　第２の開閉部側受光部
６ｃ　開閉部側発光部
８　表示部
９ａ　第１の操作部
９ｂ　第２の操作部
１０　電源
１１　スピーカ
１２　発光体
【図１】
2004064851.tif 000003